(57)【要約】【課題】帳票に印字された顧客の印影／署名、口座情報が印字された帳票の悪用および印鑑への偽造が不可能な印鑑照会システムを提供する。【解決手段】印鑑照会端末２０〜Ｎは、口座情報をキーとして印影／署名イメージデータを印鑑ＤＢ１５から取得し、そのイメージデータと口座情報とからなる口座データ印字イメージを作成し、次いで、予め保有しているオペレータ情報を用いて印字操作情報イメージを作成し、そして、口座データ印字イメージ上に印字操作情報イメージを重ねて形成される合成印字イメージをネットワークプリンタ３０に転送して帳票に印字させる。【選択図】図１
2007310494.tif 000002
【特許請求の範囲】
【請求項１】
顧客の口座情報と関連付けられた印影および署名のイメージデータが記憶された記憶手段と、
顧客の口座情報を基に前記記憶手段から印影および署名のイメージデータを検索するデータ検索手段と、
該データ検索手段に顧客の口座情報を通知し、この口座情報に関連付けられた印影および署名のイメージデータを取得する印鑑照会手段と、
プリンタとを少なくとも備え、
前記印鑑照会手段は、取得した印影および署名のイメージデータを前記プリンタに出力する際、予め保有する少なくともオペレータ情報と重ね合わせ、当該プリンタから帳票に印字させることを特徴とする印鑑照会システム。
【請求項２】
前記印鑑照会手段は、取得した印影および署名のイメージデータに前記口座情報を組み合わせた後に、予め保有する少なくともオペレータ情報と重ね合わせて、前記プリンタに出力することを特徴とする請求項１記載の印鑑照会システム。
【請求項３】
前記オペレータ情報にはオペレータのランク情報が含まれており、
前記印鑑照会手段は、オペレータのランク情報が印影および署名のイメージデータのプリンタ出力を許可されたものであることが確認されたときに前記プリンタに出力することを特徴とする請求項１記載の印鑑照会システム。
【発明の詳細な説明】
【技術分野】
【０００１】
本発明は、例えば金融機関の印鑑照会システムに係わり、特に口座データ（店番、科目、口座番号、枝番、印影／署名イメージ）の帳票への印字に関するものである。
【背景技術】
【０００２】
従来の印鑑照会システムは、照会機のキーボードから店番号や口座番号などの検索する印影データを特定するキーデータを入力して、照会装置に送信すると、照会装置は、予め記憶している印影データの中から該当する印影データを検索し、検索結果を照会機に送信し、その印影データをディスプレイに表示させる（例えば、特許文献１）。
【特許文献１】特開平６−１７６０５１号公報（第２頁、図６）
【発明の開示】
【発明が解決しようとする課題】
【０００３】
ところで、印影データを印字する際、その印影データ、キーボードから入力されたキーデータなどの口座データに、印字操作の実施時の情報としての印字日時、オペレータＩＤ、操作端末識別情報が付加される。これらを印字データとしてプリンタから出力されるとき、そのデータのヘッダやフッタに印字日時、オペレータＩＤ、操作端末識別情報が設定されるが、印字された帳票のヘッダやフッタ部分が裁断されてしまえば、印字日時、オペレータＩＤなどの印字操作情報を簡単に取り除くことができるため、仮に印字帳票が外部に漏洩した場合は、印字帳票の印字操作を行ったオペレータを特定することが困難となり、個人情報保護のためのトレーサビリティ確立ができなくなり、印字帳票の悪用が可能であるという課題があった。また、印字された帳票の内、印影のイメージについては印字帳票が流出した際に印鑑が偽造されるリスクがあった。
【課題を解決するための手段】
【０００４】
本発明に係る印鑑照会システムは、顧客の口座情報と関連付けられた印影および署名のイメージデータが記憶された記憶手段と、顧客の口座情報を基に記憶手段から印影および署名のイメージデータを検索するデータ検索手段と、データ検索手段に顧客の口座情報を通知し、この口座情報に関連付けられた印影および署名のイメージデータを取得する印鑑照会手段と、プリンタとを少なくとも備え、印鑑照会手段は、取得した印影および署名のイメージデータをプリンタに出力する際、予め保有する少なくともオペレータ情報と重ね合わせ、当該プリンタから帳票に印字させる。
【発明の効果】
【０００５】
本発明においては、取得した印影および署名のイメージデータをプリンタに出力する際、予め保有する少なくともオペレータ情報と重ね合わせ、プリンタから帳票に印字させるようにしたので、印字帳票の悪用が不可能となり、また、その印字帳票が流出したとしても印鑑の偽造が困難になるという効果がある。
【発明を実施するための最良の形態】
【０００６】
実施の形態
図１は本発明の実施の形態に係る印鑑照会システムの構成を示す図、図２は印鑑照会システムにおける印鑑照会端末の機能ブロック図、図３は印鑑照会システムにおける口座データ印字イメージの一例を示す図、図４は印字操作情報イメージの一例を示す図、図５は口座データ印字イメージおよび印字操作情報イメージを重ねて示す合成印字イメージの一例を示す図である。
【０００７】
図１に示す印鑑登録端末１０は、スキャナ１１が接続され、このスキャナ１１により読み込まれた顧客の印影／署名イメージデータを登録する際、キーボードから入力されたオペレータＩＤ、パスワードを認証サーバ１２に送り、認証「ＯＫ」の応答を受けたときは、キーボードより入力された口座情報と印影／署名イメージデータとを印鑑データベースサーバ１４（以下、「印鑑ＤＢサーバ」という）に送って登録依頼をする。口座情報は、例えば顧客の店番、科目、口座番号、枝番である。
【０００８】
認証サーバ１２は、受信されたオペレータＩＤ、パスワードを基に正当なオペレータの操作によるものか否かを認証するサーバで、予め登録されたオペレータＩＤ、パスワードをデータとして有している。印鑑コントローラサーバ１３は、印鑑登録端末１０、店舗内に設置された印鑑照会端末２０〜Ｎ、印鑑照会機４０〜Ｎなどと印鑑ＤＢサーバ１４との間の通信中継を行うサーバである。印鑑ＤＢサーバ１４は、顧客の口座情報を基に記憶手段の印鑑ＤＢ１５から印影／署名イメージデータを検索するデータ検索手段を有し、そのイメージデータの登録依頼を受けたときに口座情報と印影／署名イメージデータとを関連付けて印鑑ＤＢ１５に登録する。
【０００９】
前述した印鑑照会端末２０〜Ｎは、デスクトップ型ＰＣ、営業店窓口業務端末などからなり、例えば図２に示すように、キーボード、ディスプレイなどからなる操作表示部２０ａと、オペレータ情報保持部および印鑑データ保持部を有するメモリ２０ｂと、印字操作情報イメージ生成部２０ｃと、イメージ合成部２０ｄと、印字処理部２０ｅと、通信部２０ｆとを有している。印鑑照会を行うときは、キーボードより入力されたオペレータＩＤ、パスワードを認証サーバ１２に送り、かつ、そのオペレータＩＤ、パスワードをメモリ２０ｂのオペレータ情報保持部に保存する。このオペレータ情報保持部には、その他に印鑑照会開始の日時、自端末識別情報、オペレータランク情報およびオペレータ氏名が保存されている。なお、これらの情報は、認証サーバ１２に蓄積しておき、認証「ＯＫ」となったときに認証サーバ１２から受信してメモリ２０ｂのオペレータ情報保持部に記憶するようにしても良い。
【００１０】
認証サーバ１２から認証「ＯＫ」の応答があったときは、キーボードからの口座情報を印鑑コントローラサーバ１３に送って、その口座情報に関連付けられた印影／署名イメージデータの取得を依頼する。この時、口座情報をメモリ２０ｂの印鑑データ保持部に保存する。印影／署名イメージデータを取得したときは、そのイメージデータを先の口座情報と関連付けて印鑑データ保持部に保存し、かつ、保存した口座情報と印影／署名イメージデータとを基に口座データ印字イメージを作成する。
【００１１】
一方、印字操作情報生成部２０ｃは、オペレータ情報保持部に保存された日時、自端末識別情報、オペレータＩＤ、オペレータランク情報およびオペレータ氏名を用いて印字操作情報イメージを作成し、イメージ合成部２０ｄは、その印字操作情報イメージ上に口座データ印字イメージを重ねて、合成印字イメージを作成し、印字処理部２０ｅに送る。この印字処理部２０ｅは、イメージ合成部２０ｄにより作成された合成印字イメージデータを通信部２０ｆを介してネットワークプリンタ３０に転送して印字依頼をし、帳票に印字させる。なお、印鑑照会端末２０〜Ｎは、印刷操作を許可するオペレータランクの情報を保持している。印字操作情報生成部２０ｃは、オペレータランク情報が印刷操作が許可されたランクに該当するか否かをチェックし、該当しない場合は、印字イメージデータの作成を行わず、印刷操作できない旨のメッセージを表示する。
【００１２】
店舗に配設された印鑑照会機４０〜Ｎは、印鑑照会専用の装置であり、携帯型印鑑照会端末５０〜Ｎは、例えばＰＤＡ、ノートＰＣ、携帯電話などからなり、印鑑照会端末２０〜Ｎと同様に口座データ印字イメージおよび印字操作情報イメージの作成機能、これらから合成印字イメージを作成してネットワークプリンタ３０に転送する機能を有している。
【００１３】
次に、本実施の形態の動作を図６乃至図８を用いて説明する。図６は実施の形態に係る印鑑照会システムの通信データの流れを示すブロック図、図７は印鑑照会システムの動作を示すフローチャート、図８は実施の形態における通信データのフォーマットの一例を示す図である。
【００１４】
まず、印鑑登録時の動作について図６を用いて説明する。
印鑑登録端末１０は、スキャナ１１により読み込まれた顧客の印影／署名イメージデータを登録する際、キーボードにより入力されたオペレータＩＤ、パスワードをオペレータ認証依頼の通信データＤ１１に添付し、ＬＡＮ１６を介して認証サーバ１２に送信し、これに応答して認証ＯＫのオペレータ認証結果の通信データＤ１２が受信されたときは、印鑑登録依頼の通信データＤ１３に顧客の印影／署名イメージデータ、顧客の口座情報（店番、科目、口座番号、枝番）を添付し、印鑑ＤＢサーバ１４に送信する。印鑑ＤＢサーバ１４は、印鑑登録依頼の通信データＤ１３が受信されると、顧客の印影／署名イメージデータおよび口座情報を抽出し、かつ、これらを関連づけて印鑑ＤＢ１５に登録し、その旨を知らせる印鑑登録結果の通信データＤ１４を印鑑登録端末１０に返信する。
【００１５】
次に、印鑑照会時の動作について図６乃至図８を用いて説明する。
複数の印鑑照会端末２０〜Ｎのうち、例えば印鑑照会端末２０のキーボードからオペレータＩＤ、パスワードを入力すると（Ｓ１）、その印鑑照会端末２０は、キーボードからのオペレータＩＤ、パスワードを読み込んでメモリ２０ｂのオペレータ情報保持部の保持し、かつ、それらをオペレータ認証依頼の通信データＤ１５に添付し、データセンタに設置された認証サーバ１２に送信する（Ｓ２）。この時、その通信データＤ１５は、ＬＡＮ６０を介してルータ６１に至り、このルータ６１によって所定の外部ネットワーク７０を通してデータセンタ内のルータ１７に至り、ＬＡＮ１６を介して認証サーバ１２に受信される。なお、前記の外部ネットワーク７０は、有線として説明しているが、無線でもよい。認証サーバ１２は、オペレータ認証依頼の通信データＤ１５が受信されると（Ｓ１１）、その通信データＤ１５に添付されたオペレータＩＤおよびパスワードを抽出し、これらを基にオペレータの認証処理を行い（Ｓ１２）、その認証結果（ＯＫ／ＮＧ）を通信データＤ１６に添付し、店舗に設置された認証依頼の印鑑照会端末２０に返信する（Ｓ１３）。
【００１６】
印鑑照会端末２０は、オペレータ認証結果の通信データＤ１６が受信されると（Ｓ３）、そのデータＤ１６に添付された認証結果が「ＯＫ」か否かを判別し、「ＮＧ」の場合は、エラーメッセージを操作表示部２０ａのディスプレイに表示して印鑑照会の処理を終了するが、認証結果が「ＯＫ」のときは、ディスプレイ上にその旨を表示すると共に、取得対象となる顧客の印影／署名イメージの口座情報の入力を促す。キーボードの操作により口座情報が入力されると（Ｓ５）、口座情報をメモリ２０ｂの印鑑データ保持部に保存し、かつ、口座情報の店番、科目、口座番号、枝番をそれぞれコード化し、図８（ａ）に示す印鑑データ取得依頼の通信データＤ１のD1-1、D1-2、D1-3、D1-4領域にそれぞれ添付し、データセンタの印鑑コントローラサーバ１３に送信する（Ｓ６）。
【００１７】
一方、印鑑コントローラサーバ１３は、印鑑データ取得依頼の通信データＤ１が受信されると（Ｓ１４）、通信データＤ１から店番コード、科目コード、口座番号コード、枝番コードをそれぞれ抽出し、これらを図８（ｃ）に示す印鑑データ取得依頼の通信データＤ３のD3-1、D3-2、D3-3、D3-4領域にそれぞれ添付し、印鑑データ取得依頼の通信データＤ３を印鑑ＤＢサーバ１４に送信する（Ｓ１５）。
【００１８】
印鑑ＤＢサーバ１４は、その通信データＤ３を受信し（Ｓ１８）、通信データＤ３から店番コード、科目コード、口座番号コード、枝番コードをそれぞれ抽出し、これらコードをキーとして取得対象の印影／署名イメージデータが印鑑ＤＢ１５に存在するか否かを検索する（Ｓ１９）。印鑑ＤＢ１５に取得対象のイメージデータがないときは、図８（ｄ）に示す印鑑データ取得結果の通信データＤ４のD4-1領域に「ＮＧ」を書き込んで印鑑コントローラサーバ１３に返信し、また、印鑑ＤＢ１５に取得対象のイメージデータが存在するときは、通信データＤ４のD4-1領域に「ＯＫ」を書き込み、D4-2領域に印影イメージデータを、D4-3領域に署名イメージデータをそれぞれ添付し、印鑑データ取得結果の通信データＤ４を印鑑コントローラサーバ１３に返信する（Ｓ２０）。
【００１９】
一方、印鑑コントローラサーバ１３は、印鑑データ取得結果の通信データＤ４を受信し（Ｓ１６）、この通信データＤ４のD4-1領域にアクセスする。この領域に「ＮＧ」が書き込まれていた場合は、D4-2、D4-3にデータが無いものと判断して、図８（ｂ）に示す印鑑データ取得結果の通信データＤ２のD2-1領域に「ＮＧ」を書き込んで、店舗に設置された印鑑照会端末２０に返信し、また、D4-1領域に「ＯＫ」が書き込まれていたときは、D4-2、D4-3にデータがあるものと判断して、まずD2-1領域に「ＯＫ」を書き込み、次いでD2-2領域に印影イメージデータを、D2-3領域に署名イメージデータをそれぞれ添付し、印鑑データ取得結果の通信データＤ２を店舗に設置された印鑑照会端末２０に返信する（Ｓ１７）。
【００２０】
印鑑照会端末２０は、印鑑データ取得結果の通信データＤ２が受信しされると（Ｓ７）、その通信データＤ２のD2-1領域にアクセスして取得結果が「ＯＫ」か否かを判別する（Ｓ８）。「ＮＧ」の場合は、エラーメッセーをディスプレイに表示して終了するが、取得結果が「ＯＫ」のときは、通信データＤ２のD2-2、D2-3領域に添付された印影イメージデータおよび署名イメージデータをメモリ２０ｂの印鑑データ保持部に先の口座情報と関連付けて保存し、これら印影／署名イメージデータと口座情報（店番、科目、口座番号、枝番）とを基に口座データ印字イメージを作成する（図３参照）。
【００２１】
一方、印鑑照会端末２０の印字操作情報イメージ生成部２０ｃは、メモリ２０ｂのオペレータ情報保持部に保存された日時、自端末識別情報、オペレータＩＤ、オペレータランク情報、オペレータ氏名を用いて印字操作情報イメージを作成し（図４参照）、イメージ合成部２０ｄは、図５に示すように、印字操作情報イメージ上に口座データ印字イメージを重ねて合成印字イメージを作成し（Ｓ９）、印字処理部２０ｅに送る。印字処理部２０ｅは、その合成印字イメージデータを通信データＤ５のD5-1領域に添付し（図８（ｅ）参照）、印鑑データ印字依頼の通信データＤ５をネットワークプリンタ３０に送信する。この送信により、図８（ｆ）に示す印鑑データ取得結果の通信データＤ６がネットワークプリンタ３０から返信されると、それを受信してD6-1領域にアクセスし「ＯＫ」か否かを判別する。「ＮＧ」の場合は、エラーメッセージを操作表示部２０ａのディスプレイに表示して終了するが、「ＯＫ」を確認したときは、ディスプレイに印字完了メッセージを表示して、前述した一連の動作を終了する（Ｓ１０）。一方、ネットワークプリンタ３０は、受信された合成印字イメージを帳票に印字する。
【００２２】
以上のように実施の形態によれば、口座情報をキーとして印影／署名イメージデータを取得して、その口座情報とからなる口座データ印字イメージを作成し、次いで、予め保有しているオペレータ情報（日時、自端末識別情報、オペレータＩＤ、オペレータランク情報、オペレータ氏名）を用いて印字操作情報イメージを作成し、そして、口座データ印字イメージ上に印字操作情報イメージを重ねて形成される合成印字イメージを帳票に印字させるようにしたので、印字帳票の悪用が不可能となり、また、その印字帳票が流出したとしても印鑑の偽造が困難になるという効果がある。
【図面の簡単な説明】
【００２３】
【図１】本発明の実施の形態に係る印鑑照会システムの構成を示す図である。
【図２】印鑑照会システムにおける印鑑照会端末の機能ブロック図である。
【図３】印鑑照会システムにおける口座データ印字イメージの一例を示す図である。
【図４】印字操作情報イメージの一例を示す図である。
【図５】口座データ印字イメージおよび印字操作情報イメージを重ねて示す合成印字イメージの一例を示す図である。
【図６】実施の形態に係る印鑑照会システムの通信データの流れを示すブロック図である。
【図７】印鑑照会システムの動作を示すフローチャートである。
【図８】実施の形態における通信データのフォーマットの一例を示す図である。
【符号の説明】
【００２４】
１  印鑑登録端末、１１  スキャナ、１２  認証サーバ、１３  印鑑コントローラサーバ、１４  印鑑ＤＢサーバ、１５  印鑑ＤＢ、１６  ＬＡＮ、１７  ルータ、２０〜Ｎ  印鑑照会端末、３０  ネットワークプリンタ、４０〜Ｎ  印鑑照会機、５０〜Ｎ  携帯型印鑑照会端末、６０  ＬＡＮ、６１  ルータ、７０  外部ネットワーク。
【図１】
2007310494.tif 000003
【図２】
2007310494.tif 000004
【図３】
2007310494.tif 000005
【図４】
2007310494.tif 000006
【図５】
2007310494.tif 000007
【図６】
2007310494.tif 000008
【図７】
2007310494.tif 000009
【図８】
2007310494.tif 000010